(57)【要約】【課題】併設された監視領域の一方の監視領域において、誤った威嚇または対処を行うことを防止すること。【解決手段】自宅（第１の監視領域）及びこれと併設された店舗（第２の監視領域）の異常を検知する警備装置であって、店舗に設けられ、店舗側において威嚇動作または対処動作を行う威嚇・対処装置２４０と、自宅に設けられ、利用者からの入力を受け付けるとともに、利用者に対して情報表示を行う操作表示部２２１と、店舗における異常が検知された場合に、操作表示部２２１に店舗における映像を表示する映像出力制御部２１７と、操作表示部２２１から威嚇または対処の旨の入力を受け付けた場合に、威嚇・対処装置２４０に対して威嚇・対処指令を送出する威嚇・対処制御部２１６と、を備えた。【選択図】        図２
2007011615.tif 000002
【特許請求の範囲】
【請求項１】
第１の監視領域及び該第１の監視領域と併設された第２の監視領域における異常を検知する警備装置であって、
前記第２の監視領域に設けられ、前記第２の監視領域において威嚇または対処動作を行う第２の威嚇・対処手段と、
前記第１の監視領域に設けられ、利用者からの入力を受け付けるとともに、利用者に対して各種情報を表示する第１の操作表示手段と、
前記第２の監視領域における異常が検知された場合に、前記第１の操作表示手段に前記第２の監視領域の状態を表示し、前記第１の操作表示手段により威嚇または対処する旨の入力を受け付けた場合に、前記第２の威嚇・対処手段を制御して威嚇または対処を行なわせる制御手段と、
を備えたことを特徴とする警備装置。
【請求項２】
前記第２の監視領域において異常が検知された際、前記第１の監視領域に異常が検知された旨を報知する第１の報知手段
をさらに備えたことを特徴とする請求項１に記載の警備装置。
【請求項３】
前記第２の監視領域の状況を撮像する第２の撮像手段をさらに設け、
前記第１の操作表示手段は、前記第２の撮像手段により撮像された前記第２の監視領域の画像を表示可能である
ことを特徴とする請求項１または２に記載の警備装置。
【請求項４】
前記第１の監視領域に設けられ、前記第１の監視領域において威嚇または対処動作を行う第１の威嚇・対処手段と、
前記第２の監視領域に設けられ、利用者からの入力を受け付けるとともに、利用者に対して各種情報を表示する第２の操作表示手段と、をさらに備え、
前記制御手段は、さらに、前記第１の監視領域における異常が検知された場合に、前記第２の操作表示手段に前記第１の監視領域の状態を表示し、前記第２の操作表示手段により威嚇または対処する旨の入力を受け付けた場合に、前記第１の威嚇・対処手段を制御して威嚇または対処を行なわせる
ことを特徴とする請求項１〜３のいずれか一つに記載の警備装置。
【請求項５】
前記第１の監視領域において異常が検知された際、前記第２の監視領域に異常が検知された旨を報知する第２の報知手段をさらに備えた
ことを特徴とする請求項１〜４のいずれか一つに記載の警備装置。
【請求項６】
前記第１の監視領域の状況を撮像する第１の撮像手段をさらに備え、
前記第２の操作表示手段は、前記第１の撮像手段により撮像された前記第１の監視領域の画像を表示可能である
ことを特徴とする請求項１〜５のいずれか一つに記載の警備装置。
【請求項７】
第１の監視領域及び該第１の監視領域と併設された第２の監視領域における異常を検知する警備方法であって、
前記第２の監視領域において異常が検知された際、異常が検知された旨を前記第１の監視領域に報知する報知ステップと、
前記報知ステップにより異常検知した旨を報知した場合に、さらに第２の監視領域の状況を表示するとともに、威嚇または対処する旨の入力を受け付ける表示操作ステップと、
前記表示操作ステップにより威嚇または対処する旨の入力を受け付けた場合に、第２の監視領域に設けられ、前記第２の監視領域において威嚇または対処動作を行う威嚇・対処手段を制御して威嚇または対処を行なわせる威嚇・対処制御ステップと、
を含むことを特徴とする警備方法。
【発明の詳細な説明】
【技術分野】
【０００１】
本発明は、監視領域における異常を検知した場合に、異常検知情報を通報する警備装置に関するものであり、特に、併設された監視領域おいて、一方の監視領域から他方の監視領域の状況を確認し、他方の監視領域に対して威嚇動作または対処動作を取ることができる警備装置及び警備方法に関する。
【背景技術】
【０００２】
従来の警備装置として、監視領域に設置されているセンサが異常を検知した場合に、監視センタに警報を通報したり、ブザーなどの警報により在宅者に対して異常を報知するなど、監視領域の状況に応じて任意の警備モードに設定して警備を行うものが一般に知られている。
【０００３】
また、一般電話回線の接続されたテレビ電話と、自動通報機能、自動応答機能及び遠隔操作機能を備えた装置と、各種センサとを接続して、映像により自宅、店舗等を監視する技術が公開されている（例えば、特許文献１参照）。
【０００４】
このような従来の技術では、例えば、異常を検知して出力信号を送出するセンサに連動して、照明を点灯させたり、サイレンを鳴らしたりすることにより外部の不審者に対して威嚇を行っていた。
【０００５】
【特許文献１】特開平１１−１５４２９２号公報
【発明の開示】
【発明が解決しようとする課題】
【０００６】
しかしながら、このような従来の技術を実際に利用する際、センサが不審者以外のものを不審者と誤って検知した場合、無用にサイレンが鳴り続けるなどして近隣住人などに迷惑がかかってしまうことから、サイレン等の鳴動時間を制限したり音量を低くしたりすることがあり、その結果として、威嚇手段による本来の威嚇効果を十分に発揮できない場合があった。
【０００７】
また、併設される監視領域においては、一方の監視領域に侵入者等が侵入した場合、早期に対処しなければ、他方の監視領域にいる人や財産にまで被害がおよぶ可能性があることから、早期に侵入者等の異常事態を併設された他方の監視領域に報知するとともに、威嚇または対処することが可能な手段が求められていた。
【０００８】
本発明は、上記に鑑みてなされたものであって、併設された監視領域の一方の監視領域から他方の監視領域の状況を確認できるようにし、その上で他方の監視領域に対して威嚇動作または対処動作を行えるようにすることにより、誤った威嚇または対処を行うことを防止するとともに、本来の威嚇効果または対処効果を発揮できるようにし、また、併設される監視領域を有する警備対象において、他方の監視領域に被害が及ぶことを防止する警備装置および警備方法を提供することを目的とする。
【課題を解決するための手段】
【０００９】
上述した課題を解決し、目的を達成するために、請求項１にかかる発明は、第１の監視領域及び該第１の監視領域と併設された第２の監視領域における異常を検知する警備装置であって、前記第２の監視領域に設けられ、前記第２の監視領域において威嚇または対処動作を行う第２の威嚇・対処手段と、前記第１の監視領域に設けられ、利用者からの入力を受け付けるとともに、利用者に対して各種情報を表示する第１の操作表示手段と、前記第２の監視領域における異常が検知された場合に、前記第１の操作表示手段に前記第２の監視領域の状態を表示し、前記第１の操作表示手段により威嚇または対処する旨の入力を受け付けた場合に、前記第２の威嚇・対処手段を制御して威嚇または対処を行なわせる制御手段と、を備えたことを特徴とする。
【００１０】
また、請求項２にかかる発明は、請求項１に記載の警備装置において、前記第２の監視領域において異常が検知された際、前記第１の監視領域に異常が検知された旨を報知する第１の報知手段をさらに備えたことを特徴とする。
【００１１】
また、請求項３にかかる発明は、請求項１または２に記載の警備装置において、前記第２の監視領域の状況を撮像する第２の撮像手段をさらに設け、前記第１の操作表示手段は、前記第２の撮像手段により撮像された前記第２の監視領域の画像を表示可能であることを特徴とする。
【００１２】
また、請求項４にかかる発明は、請求項１〜３のいずれか一つに記載の警備装置において、前記第１の監視領域に設けられ、前記第１の監視領域において威嚇または対処動作を行う第１の威嚇・対処手段と、前記第２の監視領域に設けられ、利用者からの入力を受け付けるとともに、利用者に対して各種情報を表示する第２の操作表示手段と、をさらに備え、前記制御手段は、さらに、前記第１の監視領域における異常が検知された場合に、前記第２の操作表示手段に前記第１の監視領域の状態を表示し、前記第２の操作表示手段により威嚇または対処する旨の入力を受け付けた場合に、前記第１の威嚇・対処手段を制御して威嚇または対処を行なわせることを特徴とする。
【００１３】
また、請求項５にかかる発明は、請求項１〜４のいずれか一つに記載の警備装置において、前記第１の監視領域において異常が検知された際、前記第２の監視領域に異常が検知された旨を報知する第２の報知手段をさらに備えたことを特徴とする。
【００１４】
また、請求項６にかかる発明は、請求項１〜５のいずれか一つに記載の警備装置において、前記第１の監視領域の状況を撮像する第１の撮像手段をさらに備え、前記第２の操作表示手段は、前記第１の撮像手段により撮像された前記第１の監視領域の画像を表示可能であることを特徴とする。
【００１５】
また、請求項７にかかる発明は、第１の監視領域及び該第１の監視領域と併設された第２の監視領域における異常を検知する警備方法であって、前記第２の監視領域において異常が検知された際、異常が検知された旨を前記第１の監視領域に報知する報知ステップと、前記報知ステップにより異常検知した旨を報知した場合に、さらに第２の監視領域の状況を表示するとともに、威嚇または対処する旨の入力を受け付ける表示操作ステップと、前記表示操作ステップにより威嚇または対処する旨の入力を受け付けた場合に、第２の監視領域に設けられ、前記第２の監視領域において威嚇または対処動作を行う威嚇・対処手段を制御して威嚇または対処を行なわせる威嚇・対処制御ステップと、を含むことを特徴とする。
【発明の効果】
【００１６】
請求項１にかかる発明によれば、第２の監視領域において異常が検知された場合に、第１の操作表示手段に第２の監視領域の状態を表示し、第１の操作表示手段により威嚇または対処する旨の入力を受け付けた場合に、第２の監視領域に設置された第２の威嚇・対処手段を制御して威嚇または対処動作を行なわせることで、利用者が第２の監視領域の状況を確認した上で、威嚇することを決定でき、誤った威嚇を行うことを防止できるという効果を奏する。
【００１７】
請求項２にかかる発明によれば、第２の監視領域において異常が検知された場合に、第１の報知手段により第１の監視領域に対して異常が検知された旨を報知するので、第１の監視領域に居ながらにして、第２の監視領域で異常が検知されたことを確実に把握できるという効果を奏する。
【００１８】
請求項３にかかる発明によれば、第２の撮像手段により撮像された第２の監視領域の画像を第１の操作表示手段に表示するので、第２の監視領域において異常が検知された場合などにおいて、画像により第２の監視領域の状況を詳細に確認できるという効果を奏する。
【００１９】
請求項４にかかる発明によれば、さらに、第１の監視領域において異常が検知された場合に、第２の操作表示手段に第１の監視領域の状態を表示し、第２の操作表示手段により威嚇または対処する旨の入力を受け付けた場合に、第１の監視領域に設置された第１の威嚇・対処手段を制御して威嚇または対処動作を行なわせることで、利用者が第１の監視領域の状況を確認した上で、威嚇することを決定でき、誤った威嚇を行うことを防止できるという効果を奏する。
【００２０】
請求項５にかかる発明によれば、さらに、第１の監視領域において異常が検知された場合に、第２の報知手段により第２の監視領域に対して異常が検知された旨を報知するので、第２の監視領域に居ながらにして、第１の監視領域で異常が検知されたことを確実に把握できるという効果を奏する。
【００２１】
請求項６にかかる発明によれば、さらに、第１の撮像手段により撮像された第１の監視領域の画像を第２の操作表示手段に表示するので、第１の監視領域において異常が検知された場合などにおいて、画像により第１の監視領域の状況を詳細に確認できるという効果を奏する。
【００２２】
請求項７にかかる発明によれば、第２の監視領域において異常が検知された場合に、第１の報知手段により第１の監視領域に対して異常が検知された旨を報知し、また、第１の操作表示手段に第２の監視領域の状態を表示し、第１の操作表示手段により威嚇または対処する旨の入力を受け付けた場合に、第２の監視領域に設置された第２の威嚇・対処手段を制御して威嚇または対処動作を行なわせることで、利用者が第１の監視領域に居ながらにして、第２の監視領域で異常が検知されたことを確実に把握でき、また、第２の監視領域の状況を確認した上で、威嚇することを決定でき、誤った威嚇を行うことを防止できるという効果を奏する。
【発明を実施するための最良の形態】
【００２３】
以下に添付図面を参照して、この発明にかかる警備装置および警備方法の最良な実施の形態を詳細に説明する。
【００２４】
図１は、本実施の形態にかかる警備システムの構成を示すブロック図である。本実施の形態にかかる警備システム１００は、警備装置１１０と、監視センタ１３０とから構成されており、警備装置１１０と監視センタ１３０はネットワーク１２０を介して接続されている。また、監視領域が併設される警備対象として、自宅と店舗が併設された店舗付き住宅の場合を例にあげて説明する。
【００２５】
警備装置１１０は、自宅と店舗が併設されている店舗付き住宅において、自宅と店舗のそれぞれを監視領域としており、自宅側に設置されている。そして、警備装置１１０の警備モード設定等の操作を行うコントローラ２２０が自宅に、サブコントローラ２３０が店舗に設置されている。ここで、自宅は本発明における第１の監視領域に相当し、店舗は本発明における第２の監視領域に相当する。なお、本実施の形態では警備装置１１０を自宅側に設置するが、店舗側に設置してもよく、警備対象の状況に合わせて設置場所を決定すればよい。
【００２６】
警備装置１１０は、自宅及び店舗のそれぞれにおいて異常を検知した場合、監視センタ１３０に異常検知情報を通報し、さらに自宅と店舗のそれぞれに異常を検知した旨の警報等を報知するものである。特に、本実施の形態では、店舗で異常が検知された場合に、自宅に警報等を報知するようになっている。
【００２７】
ネットワーク１２０は、電話回線、無線ネットワーク、インターネット、などであって、警備装置１１０と監視センタ１３０を接続している。
【００２８】
監視センタ１３０は、警備装置１１０からの異常検知情報を受信した場合に、待機中の警備員に対して異常が検知された監視領域へ向かう旨の指示を出すとともに、必要に応じて警察や消防など関係機関への通報を行うセンタである。
【００２９】
次に、警備装置１１０の詳細について説明する。図２は、本実施の形態にかかる警備装置の構成を示すブロック図である。図２に示すように、本実施の形態にかかる警備装置１１０は、複数のセンサ２０１ａ〜２０１ｎ，２０３ａ〜２０３ｎと、カメラ２０２，２０４と、入出力制御部２０５と、通信制御部２０６と、利用者データベース２０７と、制御部２１０と、コントローラ２２０と、サブコントローラ２３０と、を主に備えている。
【００３０】
センサ２０１ａ〜２０１ｎは、自宅側に設置されて自宅への侵入者等を検知する目的で設置された人感センサであり、たとえば赤外線の受光量の変化をもとに人の存在を検出する赤外線センサ、赤外線などの受信が遮断されることで人の存在を検出する遮断センサ、電磁波の乱れで人の存在を検知する気配センサ、およびマグネットにより扉の開閉を検出するマグネットセンサなどの監視領域の異常を検出する各種センサ等が該当する。なお、前記各種センサの他、非常押しボタンを設けて自宅において非常事態が発生したことを通報できるようにしてもよい。
【００３１】
また、センサ２０３ａ〜２０３ｎは、店舗側に設置されて店舗への侵入者等を検知する目的で設置された人感センサであり、具体的なセンサの例としては、自宅側のセンサ２０１ａ〜２０１ｎと同様である。なお、前記各種センサの他、非常押しボタンを設けて店舗側において非常事態が発生したことを通報できるようにしてもよい。
【００３２】
カメラ２０２は、自宅側に設置され、自宅の内部またはその周辺を撮像するものである。また、カメラ２０４は、店舗側に設置され、店舗の内部またはその周辺を撮像するものである。ここで、カメラ２０２は本発明における第１の撮像手段に相当し、カメラ２０４は本発明における第２の撮像手段に相当する。
【００３３】
威嚇・対処装置２４０は、店舗側（例えば、店舗入り口付近）に設置されており、店舗に侵入した不審者に対し威嚇または対処動作を行うものである。威嚇・対処装置２４０の威嚇または対処動作としては、照明の点灯、サイレンの鳴動、追跡用スプレーの吹付け、ペイント弾の発射等種々のものが挙げられ、店舗の状況に応じて任意のものを選択して設置する。なお、複数種類または複数個の威嚇・対処装置２４０を店舗側に設置し、状況に応じて使い分けるようにしてもよい。ここで、威嚇・対処装置２４０は本発明における第２の威嚇・対処手段に相当する。
【００３４】
威嚇・対処装置２５０は、自宅側（例えば、自宅入り口付近）に設置されており、自宅に侵入した不審者に対し威嚇または対処動作を行うものである。威嚇・対処装置２５０の威嚇または対処動作としては威嚇・対処装置２４０と同様の動作があげられ、複数種類または複数個の威嚇・対処装置２５０を自宅側に設置し、状況に応じて使い分けるようにしてもよい。ここで、威嚇・対処装置２５０は本発明における第１の威嚇・対処手段に相当する。
【００３５】
入出力制御部２０５は、サブコントローラ２３０の入出力制御、センサ２０１ａ〜２０１ｎ、センサ２０３ａ〜２０３ｎ、カメラ２０２、カメラ２０４の入力制御より種々のデータの入出力を制御する処理部である。
【００３６】
通信制御部２０６は、警備装置１１０とネットワーク１２０との間における通信を制御するものであり、具体的にはネットワークボードなどが該当する。
【００３７】
コントローラ２２０は、自宅側に設置されており、自宅にいる利用者の操作により自宅側の警備モードを設定する他、店舗側の状況確認や威嚇・対処装置２５０の操作等を行うものである。また、店舗側の警備モードを設定できるようになっている。コントローラ２２０は、更に、操作表示部２２１と、マイク２２２と、スピーカ２２３と、を主に備えている。
【００３８】
操作表示部２２１は、例えばタッチ入力式の液晶画面であり、利用者に対して各種設定画面を表示して自宅にいる利用者により自宅の警備モード設定の入力を受け付け、また、利用者が自宅から店舗の警備モード設定の入力を受け付けるものである。また、操作表示部２２１は、店舗側の状況を確認する店舗状況確認画面を表示し、利用者に対して店舗状況確認画面から映像表示や威嚇・対処実行などの指令を入力させる。複数種類または複数個の威嚇・対処装置２４０を設置した場合は、いずれの威嚇・対処装置２４０を用いるか選択できるようにしてもよい。ここで、操作表示部２２１は、本発明における第１の操作表示手段に相当する。マイク２２２は、自宅にいる者が発した音声を取得し、スピーカ２２３は送信された音声を自宅に出力するものである。
【００３９】
サブコントローラ２３０は、店舗側に設置されており、店舗にいる利用者の操作により店舗側の警備モードを設定するものである。また、自宅側の警備モードを設定できるようになっている。サブコントローラ２３０は、更に、操作表示部２３１と、マイク２３２と、スピーカ２３３と、を主に備えている。
【００４０】
操作表示部２３１は、例えばタッチ入力式の液晶画面であり、利用者に対して各種設定画面を表示して店舗にいる利用者により店舗の警備モード設定の入力を受け付け、また、利用者が店舗から自宅の警備モード設定の入力を受け付けるものである。ここで、操作表示部２３１は、本発明における第２の操作表示手段に相当する。マイク２３２は、店舗にいる者が発した音声を取得し、スピーカ２３３は送信された音声を店舗に出力するものである。
【００４１】
制御部２１０は、警備装置１１０の全体制御を行うものであり、さらに警備モード切替部２１１と、自宅用警備モード記憶部２１２と、店舗用警備モード記憶部２１３と、異常通報部２１５と、威嚇・対処制御部２１６と、映像出力制御部２１７とを主に備えている。
【００４２】
警備モード切替部２１１は、自宅用警備モード記憶部２１２又は店舗用警備モード記憶部２１３に、コントローラ２２０又はサブコントローラ２３０から入力を受け付けた警備モードの設定を行うものである。ここで、警備モードとは、自宅及び店舗において異常を検知した場合の通報の可否、自宅内または店舗内へ異常検知した旨の報知の可否など、警備装置１１０の動作を決定するモードである。具体的には、警備モードとして、警備状態、在宅警備状態、セルフ警備状態、警備解除状態があり、コントローラ２２０又はサブコントローラ２３０によって、いずれかの警備モードに設定される。
【００４３】
まず、警備状態とは、センサによって異常を検知したときに発せられる検知信号を警備装置が受信した場合に、監視センタに異常を知らせる警報を通報する状態である。異常が検知された監視領域内に対して、異常が検知された旨を報知する場合もある。これは、侵入者を威嚇する目的や誤報である場合に警報解除操作を促す目的で報知するものである。
【００４４】
在宅警備状態とは、センサによって異常を検知したときに発せられる検知信号を警備装置が受信した場合に、監視領域において異常を検知したことを報知する状態である。また、監視領域だけではなく監視センタに異常を知らせる警報を報知する場合もある。これは、在宅時においても監視センタへの通報を行う契約を結んだ場合であり、監視領域において異常を検知したことを報知した後に、監視センタに通報を行うなどの動作をする。
【００４５】
セルフ警備状態とは、センサによって異常を検知したときに発せられる検知信号を警備装置が受信した場合に、外出時の利用者が所持する携帯電話や固定電話などの通報先端末に異常を検知したことを通報する状態である。また、監視領域において異常を検知したことを報知する場合がある。これは、侵入者を威嚇する目的や誤報である場合に警報解除操作を促す目的で報知するものである。
【００４６】
警備解除状態とは、センサによって異常を検知したときに発せられる検知信号を警備装置が受信した場合でも、監視センタへの警報の通報、監視領域における異常の検知、通報先端末への異常の通報のいずれも行わない状態である。なお、前記いずれの警備モードであっても、検知された異常が火災やガス漏れの場合、または、非常ボタンが操作された場合は、監視センタへの通報を行い、必要に応じて監視領域における異常の報知、通報先端末への異常の通報などを行う。
【００４７】
自宅用警備モード記憶部２１２は、自宅における現在の上述した警備モードを記憶するメモリなどの記憶媒体である。また、店舗用警備モード記憶部２１３は、店舗における現在の上述した警備モードを記憶するメモリなどの記憶媒体である。
【００４８】
異常通報部２１５は、自宅又は店舗の警備モードが警備解除状態以外に設定され、自宅用警備モード記憶部２１２又は店舗用警備モード記憶部２１３に記憶されている場合に、センサ２０１ａ〜２０１ｎ又はセンサ２０３ａ〜２０３ｎから検知信号が出力されると、これを異常通報部２１５によって検知して監視センタ１３０に対して異常検知情報を通報する。
【００４９】
また、本実施の形態では、異常通報部２１５は、店舗側のセンサ２０３ａ〜２０３ｎから検知信号が出力された場合、これを異常通報部２１５によって検知して自宅側のコントローラ２２０のスピーカ２２３から警報を通報する。また、異常通報部２１５は、自宅側のセンサ２０１ａ〜２０１ｎから検知信号が出力された場合、これを異常通報部２１５によって検知して店舗側のサブコントローラ２３０のスピーカ２３３から警報を通報する。
【００５０】
ここで、異常通報部２１５とスピーカ２２３は、本発明における第１の報知手段に相当する。また、異常通報部２１５とスピーカ２３３は、本発明における第２の報知手段に相当する。
【００５１】
映像出力制御部２１７は、カメラ２０２、２０４から撮像映像を取得して、コントローラ２２０の操作表示部２２１、サブコントローラ２３０の操作表示部２３１への撮像映像の出力を制御するものである。
【００５２】
本実施の形態では、映像出力制御部２１７は、利用者による操作表示部２２１からの要求を受けて、店舗側のカメラ２０４からの撮像映像を自宅側のコントローラ２２０の操作表示部２２１に表示出力するようになっている。
【００５３】
また、映像出力制御部２１７は、利用者による操作表示部２３１からの要求を受けて、自宅側のカメラ２０２からの撮像映像を店舗側のサブコントローラ２３０の操作表示部２３１に表示出力するようになっている。
【００５４】
威嚇・対処制御部２１６は、店舗側に設置された威嚇・対処装置２４０および自宅側に設置された威嚇・対処装置２５０に対する威嚇動作または対処動作の制御を行うものである。
【００５５】
具体的には、威嚇・対処制御部２１６は、利用者によるコントローラ２２０の操作表示部２２１からの要求を受けて、店舗側に設置された威嚇・対処装置２４０に威嚇動作（照明の点灯、サイレンの鳴動）または対処動作（追跡用スプレーの吹付け、ペイント弾の発射等）を行わせる。
【００５６】
また、威嚇・対処制御部２１６は、利用者によるサブコントローラ２３０の操作表示部２３１からの要求を受けて、自宅側に設置された威嚇・対処装置２５０に威嚇動作（照明の点灯、サイレンの鳴動）または対処動作（追跡用スプレーの吹付け、ペイント弾の発射等）を行わせる。
【００５７】
ここで、映像出力制御部２１７と威嚇・対処制御部２１６は、本発明における制御手段に相当する。
【００５８】
次に、以上のように構成された本実施の形態にかかる警備装置１１０による威嚇・対処処理について説明する。まず、店舗側で異常が検知された場合における威嚇・対処処理について説明する。
【００５９】
図３は、店舗側で異常が検知された場合における警備装置１１０による威嚇・対処処理の手順を示すフローチャートである。ここでは、店舗側の現在の警備モードが、異常を検知した場合に監視センタ１３０に異常検知情報を通報する警備状態に設定されているものとする。なお、警備状態ではなくても、警備解除状態以外の警備モードであれば、同様の威嚇・対処処理がなされる。
【００６０】
異常通報部２１５は、店舗側のセンサ２０３ａ〜２０３ｎから異常検知待ち状態、すなわち、店舗側のセンサ２０３ａ〜２０３ｎからの検知信号の受信待ちとなっている（ステップＳ３０１、Ｓ３０１：Ｎｏ）。
【００６１】
そして、店舗側のセンサ２０３ａ〜２０３ｎから検知信号を受信した場合には（ステッＳ３０１：Ｙｅｓ）、異常通報部２１５は、異常を検知したセンサ２０３ａ〜２０３ｎの識別情報とともに店舗側で異常が検知された旨を示す異常検知情報を監視センタ１３０に送信する（ステップＳ３０２）。さらに、異常通報部２１５は、店舗側で異常が検知された場合でも、自宅側のコントローラ２２０のスピーカ２２３に警報を出力する（ステップＳ３０３）。これによって、利用者が自宅に居る場合でも店舗側で発生した異常状態を店舗側へ移動せずに知ることができる。
【００６２】
なお、このとき自宅側のコントローラ２２０の操作表示部２２１に、店舗側のセンサ２０３ａ〜２０３ｎのうち、どのセンサにより異常が検知されたのかなど、店舗側の状況を表示できるようにしてもよい。
【００６３】
次に、映像出力制御部２１７は、自宅のコントローラ２２０の操作表示部２２１に、店舗状況確認画面を表示する（ステップＳ３０４）。ここで、店舗状況確認画面は、自宅側から店舗側の監視領域の現在の状況の確認および威嚇操作または対処操作の指令を利用者に入力させるための画面である。
【００６４】
図４は、操作表示部２２１に表示される店舗側状況確認画面の一例を示す模式図である。店舗側状況確認画面には、図４に示すように、映像表示領域４０１とカメラボタン４０２と威嚇・対処ボタン４０３と終了ボタン４０４とが表示されている。
【００６５】
映像表示領域４０１は、カメラ２０４による店舗の撮像映像が映像出力制御部２１７によって表示される領域である。カメラボタン４０２は、映像表示領域４０１にカメラ２０４による撮像映像の表示を映像出力制御部２１７に対して指令するためのボタンであり、威嚇・対処ボタン４０３は、店舗に設置された威嚇・対処装置２４０による威嚇動作または対処動作を実行させる旨を威嚇・対処制御部２１６に対して指令するボタンであり、終了ボタン４０４は、店舗状況確認画面の表示を終了させる旨を映像出力制御部２１７に対して指令するためのボタンである。
【００６６】
図３に戻り、操作表示部２２１に店舗状況確認画面が表示されると、映像出力制御部２１７および威嚇・対処制御部２１６は、この店舗状況確認画面からの利用者によるいずれかのボタン押下の入力待ち状態となる（ステップＳ３０５）。
【００６７】
そして、店舗状況確認画面からから利用者によってカメラボタン４０２が押下された場合には、映像出力制御部２１７は、店舗状況確認画面の映像表示領域４０１に、カメラ２０４で撮影されている店舗の撮像映像を出力して表示する（ステップＳ３０６）。
【００６８】
また、店舗状況確認画面から利用者によって威嚇・対処ボタン４０３が押下された場合には、威嚇・対処制御部２１６は、店舗側の威嚇・対処装置２４０に対して威嚇動作または対処動作を行うよう指令を送出する（ステップＳ３０７）。一方、店舗状況確認画面から利用者によって終了ボタン４０４が押下された場合には、映像出力制御部２１７は店舗状況確認画面を終了して、処理を終了する（ステップＳ３０８）。
【００６９】
これにより、店舗側で異常が発生した場合、店舗側の状況を映像表示領域４０１に表示された撮像映像によって確認した上で、威嚇動作または対処動作を行うか否かを利用者が判断して、威嚇動作または対処動作が必要な場合に威嚇・対処ボタン４０３を押下して不審者に対して威嚇・対処装置２４０による威嚇または対処を行うことができる。
【００７０】
次に、自宅側で異常が検知された場合における威嚇・対処処理について説明する。図５は、自宅側で異常が検知された場合における警備装置１１０による威嚇・対処処理の手順を示すフローチャートである。ここでは、自宅側の現在の警備モードが、異常を検知した場合に監視センタ１３０に異常検知情報を通報する警備状態に設定されているものとする。なお、警備状態ではなくても、警備解除状態以外の警備モードであれば、同様の威嚇・対処処理がなされる。
【００７１】
異常通報部２１５は、自宅側のセンサ２０１ａ〜２０１ｎから異常検知待ち状態、すなわち、自宅側のセンサ２０１ａ〜２０１ｎからの検知信号の受信待ちとなっている（ステップＳ５０１、Ｓ５０１：Ｎｏ）。
【００７２】
そして、店舗側のセンサ２０３ａ〜２０３ｎから検知信号を受信した場合には（ステッＳ５０１：Ｙｅｓ）、異常通報部２１５は、異常を検知したセンサ２０１ａ〜２０１ｎの識別情報とともに自宅側で異常が検知された旨を示す異常検知情報を監視センタ１３０に送信する（ステップＳ５０２）。さらに、異常通報部２１５は、自宅側で異常が検知された場合に、店舗側のサブコントローラ２３０のスピーカ２３３に警報を出力する（ステップＳ５０３）。これによって、利用者が店舗にいて自宅に不在の場合でも自宅側で発生した異常状態を店舗側へ移動せずに知ることができる。
【００７３】
なお、このとき店舗側のサブコントローラ２３０の操作表示部２３１に、自宅側のセンサ２０１ａ〜２０１ｎのうち、どのセンサにより異常が検知されたのかなど、自宅側の状況を表示できるようにしてもよい。
【００７４】
次に、映像出力制御部２１７は、店舗側のサブコントローラ２３０の操作表示部２３１に、自宅状況確認画面を表示する（ステップＳ５０４）。ここで、自宅状況確認画面は、店舗側から自宅側の監視領域の現在の状況の確認および威嚇操作または対処操作の指令を利用者に入力させるための画面である。
【００７５】
図６は、操作表示部２３１に表示される自宅側状況確認画面の一例を示す模式図である。自宅側状況確認画面には、図６に示すように、映像表示領域６０１とカメラボタン６０２と威嚇・対処ボタン６０３と終了ボタン６０４とが表示されており、図４で示した店舗状況確認画面と同様の表示構成となっている。
【００７６】
すなわち、映像表示領域６０１には、カメラ２０２による自宅の撮像映像が映像出力制御部２１７によって表示される領域である。カメラボタン６０２は、映像表示領域６０１にカメラ２０２による撮像映像の表示を映像出力制御部２１７に対して指令するためのボタンであり、威嚇・対処ボタン６０３は、自宅に設置された威嚇・対処装置２５０による威嚇動作または対処動作を実行させる旨を威嚇・対処制御部２１６に対して指令するボタンであり、終了ボタン６０４は、自宅状況確認画面の表示を終了させる旨を映像出力制御部２１７に対して指令するためのボタンである。
【００７７】
図５に戻り、操作表示部２３１に自宅状況確認画面が表示されると、映像出力制御部２１７および威嚇・対処制御部２１６は、この自宅状況確認画面からの利用者によるいずれかのボタン押下の入力待ち状態となる（ステップＳ５０５）。
【００７８】
そして、自宅状況確認画面からから利用者によってカメラボタン６０２が押下された場合には、映像出力制御部２１７は、自宅状況確認画面の映像表示領域６０１に、カメラ２０２で撮影されている自宅の撮像映像を出力して表示する（ステップＳ５０６）。
【００７９】
また、自宅状況確認画面から利用者によって威嚇・対処ボタン６０３が押下された場合には、威嚇・対処制御部２１６は、自宅側の威嚇・対処装置２５０に対して威嚇動作または対処動作を行うよう指令を送出する（ステップＳ５０７）。一方、自宅状況確認画面から利用者によって終了ボタン６０４が押下された場合には、映像出力制御部２１７は自宅状況確認画面を終了して、処理を終了する（ステップＳ５０８）。
【００８０】
これにより、自宅側で異常が発生した場合、自宅側の状況を映像表示領域６０１に表示された撮像映像によって確認した上で、威嚇動作または対処動作を行うか否かを利用者が判断して、威嚇動作または対処動作が必要な場合に威嚇・対処ボタン６０３を押下して不審者に対して威嚇・対処装置２５０による威嚇または対処を行うことができる。
【００８１】
このように本実施の形態にかかる警備装置１１０では、店舗と自宅が併設された店舗付き住宅において、店舗側における異常が検知された場合に、自宅側のコントローラ２２０の操作表示部２２１に店舗の撮像映像を表示し、威嚇または対処を行う旨の入力を受け付けた場合に、店舗側に設定された威嚇・対処装置２４０に対して威嚇動作または対処動作を行う指令を送出しているので、利用者が店舗の状況を撮像映像で確認した上で、威嚇または対処することを決定することができ、誤った威嚇または対処を行うことを防止することができる。
【００８２】
また、本実施の形態にかかる警備装置１１０では、店舗と自宅が併設された店舗付き住宅において、自宅側における異常が検知された場合に、店舗側のサブコントローラ２３０の操作表示部２３１に自宅の撮像映像を表示し、威嚇または対処を行う旨の入力を受け付けた場合に、自宅側に設定された威嚇・対処装置２５０に対して威嚇動作または対処動作を行う指令を送出しているので、利用者が自宅の状況を撮像映像で確認した上で、威嚇または対処することを決定することができ、誤った威嚇または対処を行うことを防止することができる。
【００８３】
また、これらのことから、センサが誤検知した場合のことを懸念して、ブザーやサイレン等の威嚇手段による威嚇を所定時間経過で停止させたり、音量を低く抑えたりするなどの必要がなく、威嚇手段本来の威嚇効果を発揮させることができる。
【００８４】
（変形例）
上記実施の形態では、店舗状況確認画面におけるカメラボタン押下による店舗の撮像映像の表示と、威嚇・対処ボタン押下による威嚇・対処指令を、自宅にいるいずれの利用者によって可能とされていたが、店舗状況の表示、威嚇・対処指令を行える利用者を限定するように構成してもよい。この場合には、予め利用者ＩＤを登録した利用者データベースに、利用者ＩＤごとに、店舗状況の表示の許可／不許可、および威嚇・対処指令の許可／不許可を定めておく。そして、利用者が店舗状況確認画面においてカメラボタンを押下した場合には、この利用者の利用者ＩＤに対して利用者データベースに店舗状況の表示の許可が設定されているか否かを判断し、店舗状況の表示の許可が設定されている場合にのみ、映像表示領域４０１に店舗の撮像映像を表示するように構成すればよい。
【００８５】
また、利用者が店舗状況確認画面において威嚇・対処ボタンを押下した場合には、この利用者の利用者ＩＤに対して利用者データベースに威嚇・対処指令の許可が設定されているか否かを判断し、威嚇・対処指令の許可が設定されている場合にのみ、威嚇・対処装置２４０に威嚇動作または対処動作を行う旨の指令を送出するように構成すればよい。
【００８６】
このような構成にすることにより、例えば操作権限を親だけが持つようにして、子供によるいたずらや誤操作を防止することができる。
【００８７】
本実施の形態では、店舗付き住宅に関して本発明にかかる警備装置を適用した例を示しているが、本発明の適用先はこれに限らず、店舗と店舗の事務所、自宅と作業場、二世帯住宅など、隣接した警備対象で、個別に警備を行うような対象であれば適用可能である。
【００８８】
また、本発明の実施方法はこれに限らず、例えば、一部の威嚇・対処装置についてはセンサが異常事態を検知したことに連動して威嚇・対処動作を行なわせ、その後、威嚇・対処ボタンの操作により、更なる威嚇・対処を行うようにしてもよい。
【００８９】
このようにした場合、併設された監視領域の他の監視領域に人がいない場合であっても必要最低限の威嚇・対処動作を行なわせることができ、人がいる場合には、より効果的な威嚇・対処動作を行なわせることが可能となる。
【図面の簡単な説明】
【００９０】
【図１】本実施の形態にかかる警備システムの構成を示すブロック図である。
【図２】本実施の形態にかかる警備装置の構成を示すブロック図である。
【図３】店舗側で異常が検知された場合における警備装置１１０による威嚇・対処処理の手順を示すフローチャートである。
【図４】自宅側のコントローラ２２０の操作表示部２２１に表示される店舗側状況確認画面の一例を示す模式図である。
【図５】自宅側で異常が検知された場合における警備装置１１０による威嚇・対処処理の手順を示すフローチャートである。
【図６】店舗側のサブコントローラ２３０の操作表示部２３１に表示される自宅側状況確認画面の一例を示す模式図である。
【符号の説明】
【００９１】
１００  警備システム
１１０  警備装置
１２０  ネットワーク
１３０  監視センタ
２０１ａ〜２０１，２０３ａ〜２０３ｎ  センサ
２０２，２０４  カメラ
２０５  入出力制御部
２０６  通信制御部
２０７  利用者データベース
２１０  制御部
２１１  警備モード切替部
２１２  自宅用警備モード記憶部
２１３  店舗用警備モード記憶部
２１５  異常通報部
２１６  威嚇・対処制御部
２１７  映像出力制御部
２２０  コントローラ
２２１，２３１  操作表示部
２２２，２３２  マイク
２２３，２３３  スピーカ
２３０  サブコントローラ
２４０，２５０  威嚇・対処装置
４０１，６０１  映像表示領域
４０２，６０２  カメラボタン
４０３，６０３  威嚇・対処ボタン
４０４，６０４  終了ボタン
【図１】
2007011615.tif 000003
【図２】
2007011615.tif 000004
【図３】
2007011615.tif 000005
【図４】
2007011615.tif 000006
【図５】
2007011615.tif 000007
【図６】
2007011615.tif 000008